(57)【要約】【課題】溶接接合を予定していないコンクリート杭の接合部に適切な寸法の溝幅及びのど厚を備えた溶接部を形成し、コンクリート上下杭間にすぐれた溶接接合部を形成する。【解決手段】端板１３ａ、１３ｂの外径より小さい外径をもつリング状の間隔板２０を上下杭の端板間に挟み、上下端板１３ａ、１３ｂと間隔板２０とが形成する隙間に現場溶接を施す。この間隔板２０として横断面の左右の厚さが異なる薄い真直な帯鋼を、圧延により円形に曲げて一様厚さのリング状とした間隔板２０を用いる。【選択図】　　　　図１
2004052498.tif 000002
【特許請求の範囲】
【請求項１】
端板に溶接開先を形成していない杭を溶接接合するに当り、端板の外径より小さい外径をもつリング状の間隔板を、上下杭の端板間に挟み、上下端板と間隔板の外周とが形成する隙間に現場溶接を施すことを特徴とするコンクリート杭の継手形成方法。
【請求項２】
前記間隔板は、横断面の左右の厚さが異なる薄い真直な帯鋼を、円形に曲げて一様厚さのリング状とした間隔板であることを特徴とする請求項１記載のコンクリート杭の継手形成方法。
【請求項３】
前記溶接開先を形成していない杭が接合すべき上下杭の一方のみであることを特徴とする請求項１記載のコンクリート杭の継手形成方法。
【発明の詳細な説明】
【０００１】
【発明の属する技術分野】
本発明は、開先を形成していないコンクリート杭の端板同士を溶接接合するコンクリート杭の継手形成方法に関する。
【０００２】
【従来の技術】
コンクリート杭を上下に接合する場合、通常は端板の周縁に溶接開先を予め形成しておき、この開先内に溶接を行う。
【０００３】
ところで、溶接接合を予定せず他の接合方法を用いて接合する杭があり、このようなコンクリート杭では、端板に溶接開先を形成していない。にも拘らず、このような開先を形成していない杭を溶接接合しなければならない場合があり、このような場合に、ガウジング等によって溶接用開先を形成することとなるが、端板に正確に開先を加工をすることは極めて困難である。また、端板は、開先加工をするように予定されていないので、開先加工を行うとその部分の端板厚が不足するおそれもある。
【０００４】
【発明が解決しようとする課題】
本発明はこのような場合に適用される技術であって、溶接接合を予定していないコンクリート杭の接合部に適切な寸法の溝幅及びのど厚を備えた溶接部（開先）を形成し、コンクリート上下杭間にすぐれた接合部を溶接する技術を提供することを目的とする。
【０００５】
【課題を解決するための手段】
本発明は、上記課題を解決するためになされたもので、端板に溶接開先を形成していない杭を溶接接合するに当り、端板の外径より小さい外径をもつリング状の間隔板を、上下杭の端板間に挟み、上下端板と間隔板の外周とが形成する隙間に現場溶接を施すことを特徴とするコンクリート杭の継手形成方法である。
【０００６】
前記間隔板は、前記間隔板は、横断面の左右の厚さが異なる薄い真直な帯鋼を、円形に曲げて一様厚さのリング状とした間隔板を用いると、簡単に容易にほぼ一様厚さの間隔板を得ることができるので好ましい。
【０００７】
また、本発明は前記溶接開先を形成していない杭が、接合すべき上下杭の一方のみである場合にも好適に適用することができる。
【０００８】
【発明の実施の形態】
以下図面を参照して本発明の実施の形態を説明する。
【０００９】
図１は実施例のコンクリート上杭１０ａとコンクリート下杭１０ｂの溶接接合部を示す説明図で、図１の向って右半分は杭の外形図、向って左半分は縦段面図である。上下杭１０ａ、１０ｂはそれぞれ鉄筋コンクリートまたはプレストレストコンクリートからなる躯体１１ａ、１１ｂの端部に被覆板１２ａ、１２ｂを取付けた端板１３ａ、１３ｂを備えている。
【００１０】
本発明は、この端板１３ａ、１３ｂ同士が溶接によって接合するように予定されていない端板１３ａ、１３ｂを、溶接接合する技術に係るものである。例えば、本出願人らが既に提案して好評を得ている無溶接接合杭の端板には溶接接合のための開先を加工していない。しかしこのような杭でも溶接接合を行う場合が生ずる。例えば杭の外径の増加が制約されるような条件の下で杭打ちを行う場合などがある。
【００１１】
本発明では、このような端板に溶接開先を形成していない杭を溶接接合する場合、リング状の間隔板２０を上下杭１０ａ、１０ｂの端板１３ａ、１３ｂ間に挟み、上下端板１３ａ、１３ｂと間隔板２０の外周とが形成する隙間に現場溶接を施す。図２にこの溶接隙間の拡大図を示した。リング状の間隔板２０は、厚さが溶接開先開き３１を形成する厚さとし、外径寸法が端板１３ａ、１３ｂの外径寸法より小さく、端板１３ａ、１３ｂと間隔板２０の外周とが形成する溶接のど厚３２が適切な溶接開先深さを形成するようにする。
【００１２】
間隔板２０を端板１３ａ、１３ｂに挟む場合、図３に示すように、間隔板２０に所要数の貫通孔２１を設けておき、間隔板２０を端板上に載せてこの貫通孔２１内に溶接を施す栓溶接によって結合するのがよい。また、他の固定手段として、図４に示すように、間隔板２０の内外径部に隅肉溶接２２を施して端板１３ｂ上に固定することとしてもよい。
【００１３】
図５は間隔板２０の製作について説明する横断面図である。間隔板２０は図５に示すような左右の厚さが異なる断面をもつ薄い真直な帯鋼を、圧延によって円形に曲げて一様厚さのリング状とする。このようにして間隔板２０は、これを切り出す大面積の鋼板や機械加工仕上を必要とせず、曲げ圧延により容易に、安価に、製作することができる。この帯鋼の真直な状態における断面寸法は一方の厚さ２３が厚く、他方の厚さ２４が薄く、所要幅２５を有している。この帯鋼を、厚い方の厚さ２３の部分を外径とし、厚さ２４の方を内径とするリング状に曲げ加工して製造する。例えば外径６００ｍｍの杭の接続に用いる間隔板２０では、厚い方の厚さ２３の寸法：１０．１ｍｍ
薄い方の厚さ２４の寸法：７．９ｍｍ
所要幅２５の寸法　　　：７９．５ｍｍ
成形リングの外径寸法　：５７６ｍｍ
とすれば、厚さが一様な間隔板２０を容易に圧延によって得ることができる。
【００１４】
図６に従来のコンクリート杭の端板１３ａ、１３ｂの溶接接合部の開先の形状を示した。この開先寸法は、開先の開き３４が８．８ｍｍ、開先の深さ３５は１２ｍｍ、開先底部の丸味３６が２ｍｍＲ、開先側壁の傾き角３７が２０〜３０゜である。本発明は、溶接接合すべき上下杭の端板の一方が、図６に示すような開先を既に形成したものであっても、好適に適用することができる。
【００１５】
【発明の効果】
本発明によれば、溶接接合を予定していないコンクリート杭の接合部に適切な寸法の溝幅及びのど厚を備えた溶接部（開先）を形成し、コンクリート上下杭間にすぐれた溶接接合部を形成することが可能となった。
【図面の簡単な説明】
【図１】実施例の杭の接合部を示す説明図である。
【図２】実施例の開先形状を示す説明図である。
【図３】間隔板の取付を示す説明図である。
【図４】間隔板の取付を示す説明図である。
【図５】間隔板の寸法を示す断面図である。
【図６】従来の開先の形状図である。
【符号の説明】
１０ａ、１０ｂ　　コンクリート上下杭
１１ａ、１１ｂ　　躯体
１２ａ、１２ｂ　　被覆板
１３ａ、１３ｂ　　端板
２０　　間隔板
２１　　貫通孔
２２　　隅肉溶接
２３　　一方の厚さ寸法
２４　　他方の厚さ寸法
２５　　所要幅寸法
３０　　溶接
３１　　開先き開き
３２　　のど厚
【図１】
2004052498.tif 000003
【図２】
2004052498.tif 000004
【図３】
2004052498.tif 000005
【図４】
2004052498.tif 000006
【図５】
2004052498.tif 000007
【図６】
2004052498.tif 000008